(57)【要約】【課題】親機が他無線システムやノイズ発生源からの電波干渉を受けて動作し、その結果生じる無駄な電力消費を低減させると共に、通信トラフィックの軽減を図る。【解決手段】子機２１からの受信データ以外のデータを所定回数受信することにより親機ＣＨ切替手段８を動作させ、親機ＣＨ記憶手段４に内容を変更する親機受信解析手段９を親機２に設けている。これによって、親機２がサポートしている子機２１以外からの無線干渉が発生した場合には、使用するチャンネルを変更することが可能となり無線の干渉を低減することができる。【選択図】  図１
2004180106.tif 000002
【特許請求の範囲】
【請求項１】
親機と、該親機との間でデータを通信する少なくとも１台の子機から構成され、複数の周波数から選択された周波数を用いて通信する無線通信システムにおいて、前記親機は、少なくとも２つ以上の無線周波数で送受信する親機無線通信手段と、前記親機無線通信手段が送信時にデータに付加する識別符号（ＩＤ）を記憶する親機ＩＤ記憶手段と、前記親機無線通信手段の送信周波数を記憶する親機チャンネル記憶手段と、親機と通信する子機のＩＤを記憶する子機ＩＤ記憶手段と、前記親機ＩＤ記憶手段、親機チュンネル記憶手段と子機ＩＤ記憶手段に内容を登録する親機登録手段と、前記親機無線通信手段からの受信データに前記子機ＩＤ記憶手段に登録されているＩＤがあるかどうかを判別する子機ＩＤ判別手段と、前記子機ＩＤ判別手段からの情報を解析する親機受信解析手段と、前記親機受信解析手段からの指示により前記無線通信手段の周波数を変更する親機チャンネル切替手段と、前記親機無線通信手段にデータ送信の処理を行う親機送信制御手段と、通信インフラとのデータ通信を行う上流側データ通信インターフェース手段を備え、前記子機は、少なくとも２つ以上の無線周波数で送受信する子機無線通信手段と、前記子機無線通信手段が送信時にデータに付加する識別符号（ＩＤ）を記憶する子機ＩＤ記憶手段と、前記子機無線通信手段の送信周波数を記憶する子機チャンネル記憶手段と、子機が通信を行う親機のＩＤを記憶する親機ＩＤ記憶手段と、前記子機ＩＤ記憶手段、子機チャンネル記憶手段と親機ＩＤ記憶手段に内容を登録する子機登録手段と、前記子機無線通信手段からの受信データに前記親機ＩＤ記憶手段に登録されているＩＤがあるかどうかを判別する親機ＩＤ判別手段と、前記無線通信手段にデータ送信の処理を行う子機送信制御手段と、端末機器とのデータ通信を行う端末データ通信インターフェース手段を備えた無線データ収集システム。
【請求項２】
親機受信解析手段は親機が子機に無線発呼時にキャリアビジーになる回数によって、親機チャンネル切替手段を動作させるように構成した請求項１記載の無線データ収集システム。
【請求項３】
子機に子機無線通信手段からの受信データに親機ＩＤ記憶手段に登録されているＩＤがあるかどうかを判別する親機ＩＤ判別手段と、前記親機ＩＤ判別手段からの情報を解析する子機受信解析手段と、該子機受信解析手段からの指示により子機無線通信手段の周波数を変更する子機チャンネル切替手段を備えた請求項１記載の無線データ収集システム。
【請求項４】
親機受信解析手段、子機受信解析手段は、一定期間に予め設定された回数子機ＩＤ記憶手段、親機ＩＤ記憶手段にそれぞれに登録されていないＩＤ以外の電文を受信した場合、親機チュンネル切替手段、子機チャンネル切替手段を動作させる請求項１、２または３記載の無線データ収集システム。
【請求項５】
親機チャンネル切替手段、子機チャンネル切替手段は、それぞれ親機無線通信手段、子機無線通信手段で切替可能な周波数の切替をランダムに行う請求項１，２，３記載の無線データ収集システム。
【請求項６】
親機チャンネル切替手段、子機チャンネル切替手段は、親機無線通信手段、子機無線通信手段でそれぞれ切替可能な周波数を切替を行った場合は、以後の切替を行わない請求項１、２または３記載の無線データ収集システム。
【請求項７】
親機チャンネル切替手段、子機チャンネル切替手段は、それぞれ親機無線通信手段、子機無線通信手段で切替可能な周波数の切替を、予め指定した周波数で行う請求項１、２または３記載の無線データ収集システム。
【請求項８】
親機チャンネル切替手段、子機チャンネル切替手段により無線周波数を変更した場合、その旨を通信インフラを介して通報する請求項１、２または３記載の無線データ収集システム。
【発明の詳細な説明】
【０００１】
【発明の属する技術分野】
本発明は親機と１台以上の子機とから構成される無線システムが複数配置される無線データ収集システムにおいて、各無線システムの電波干渉が軽減される無線データ収集システムに関するものである。
【０００２】
【従来の技術】
従来のこの種の無線データ収集システムは親機から送信された同報電文に対する子機の応答電文から干渉台数を算出し最も干渉の少ない周波数を選定するものがある（例えば、特許文献１参照）。
【０００３】
図１２において、複数の周波数から選択された周波数を用いて通信を行う無線通信システムにおいて、少なくとも２つ以上の無線周波数で送受信する親機無線通信手段２と、親機無線通信手段２が送信時にデータに付加するＩＤを記憶する親機ＩＤ記憶手段３と、親機無線通信手段２の送信周波数を記憶する親機チャンネル（以下ＣＨと呼ぶ）記憶手段４と、親機ＩＤ記憶手段３、親機ＣＨ記憶手段４に内容を登録する親機登録手段６と、親機無線通信手段２に干渉を調べるための同報電文を送出させ、その応答を親機受信解析手段８からその結果を判断し親機ＣＨ記憶手段４を変更する干渉台数検出手段３３と、親機無線通信手段２にデータ送信の処理を行う親機送信制御手段９と、通信インフラ１１とのデータ通信を行う上流側データ通信インターフェース手段１０を備えた親機と、少なくとも２つ以上の無線周波数で送受信する子機無線通信手段２２と、子機無線通信手段２２が送信時にデータに付加するＩＤを記憶する子機ＩＤ記憶手段２３と、子機無線通信手段２３の送信周波数を記憶する子機ＣＨ記憶手段２４と、子機ＣＨ記憶手段２４と子機ＩＤ記憶手段２３に内容を登録する子機登録手段２６と、子機無線通信手段２２からの受信データを解析する子機受信解析手段２８と、子機無線通信手段２２にデータ送信の処理を行う子機送信制御手段２９と、端末機器３１とのデータ通信を行う端末データ通信インターフェース手段３０を備えた子機とから構成され、親機は干渉台数検出手段により子機との通信を行い最も干渉の少ない周波数を検出し、その周波数に親機無線通信手段２の周波数を変更するように動作する。
【０００４】
【特許文献１】
特開平１０−４２３５３号公報
【０００５】
【発明が解決しようとする課題】
しかしながら、上記従来の無線データ収集システムでは、設置されるシステムが同じ仕様のものでなければ同報のデータを収集することができず、同じ周波数を使用しているにもかかわらず通信プロトコルが異なったシステムが近傍にある場合や、使用する周波数帯にノイズを発生する機器がある場合には干渉の検出が困難であった。
【０００６】
【課題を解決するための手段】
本発明は上記課題を解決するため、無線機親機は現在使用している周波数帯の電波を受信した時に、自分がサポートしている子機かどうかを判定し、サポートしていない子機などからの電波を受信したと判断した場合に、その受信回数から現在使用しているチャンネルＣＨを変更する親機受信解析手段と親機ＣＨ変更手段を設けることにより、干渉する子機などがあり場合にその干渉する周波数を避けて通信が可能となるようにしたものである。
【０００７】
上記発明によれば、自システムの近傍に他社システムが設置された場合や、ノイズ発生源がある場合に、それらとの電波干渉を防ぐことが可能となる。
【０００８】
【発明の実施の形態】
本発明の無線データ収集システムは、親機と１台以上の子機から構成され、複数の周波数から選択された周波数を用いて通信を行う無線通信システムにおいて、少なくとも２つ以上の無線周波数で送信または受信を行う親機無線通信手段と、前記無線通信手段が送信時にデータに付加するＩＤを記憶する親機ＩＤ記憶手段と、前記親機無線通信手段の送信周波数を記憶する親機ＣＨ記憶手段と、親機が通信を行う１台以上の子機のＩＤを記憶する子機ＩＤ記憶手段と、前記親機ＩＤ記憶手段、親機ＣＨ記憶手段と子機ＩＤ記憶手段に内容を登録する親機登録手段と、前記親機無線通信手段からの受信データに前記子機ＩＤ記憶手段に登録されているＩＤがあるかどうかを判別する子機ＩＤ判別手段と、前記子機ＩＤ判別手段からの情報を解析する親機受信解析手段と、前記親機受信解析手段からの指示により前記無線通信手段の周波数を変更する親機ＣＨ切替手段と、前記親機無線通信手段にデータ送信の処理を行う親機送信制御手段と、通信インフラとのデータ通信を行う上流側データ通信インターフェース手段を備えた親機と、少なくとも２つ以上の無線周波数で送信または受信を行う子機無線通信手段と、前記子機無線通信手段が送信時にデータに付加するＩＤを記憶する親機ＩＤ記憶手段と、前記子機無線通信手段の送信周波数を記憶する子機ＣＨ記憶手段と、子機が通信を行う親機のＩＤを記憶する親機ＩＤ記憶手段と、前記親機ＩＤ記憶手段、子機ＣＨ記憶手段と親機ＩＤ記憶手段に内容を登録する子機登録手段と、前記子機無線通信手段からの受信データに前記親機ＩＤ記憶手段に登録されているＩＤがあるかどうかを判別する親機ＩＤ判別手段と、前記無線通信手段にデータ送信の処理を行う子機送信制御手段と、端末機器とのデータ通信を行う端末データ通信インターフェース手段を備えた子機を有するものである。
【０００９】
そして、親機受信解析手段により周波数を変更する必要が発生した場合に、親機ＣＨ切替手段により親機ＣＨ記憶手段を変更し無線通信手段の周波数を変更することにより親機が受ける電波などの干渉を低減することが可能となる。
【００１０】
また、親機が子機に対して無線を発呼しようとした時に、親機がサポートしていない子機などからの電波の干渉により発呼できない場合の回数から親機ＣＨ記憶手段の内容を変更するようにする親機受信解析手段を有するものである。
【００１１】
そして、親機受信解析手段により親機が無線発呼するときの干渉から周波数を変更する必要が発生した場合に、親機ＣＨ切替手段により親機ＣＨ記憶手段を変更し無線通信手段の周波数を変更することにより親機が受ける電波などの干渉を低減することが可能となる。
【００１２】
また、子機に子機無線通信手段からの受信データに前記親機ＩＤ記憶手段に登録されているＩＤがあるかどうかを判別する親機ＩＤ判別手段と、前記親機ＩＤ判別手段からの情報を解析する子機受信解析手段と、子機受信解析手段からの指示により子機無線通信手段の周波数を変更する子機ＣＨ切替手段を有するものである。
【００１３】
そして、子機受信解析手段により子機が無線発呼するときの干渉から周波数を変更する必要が発生した場合に、子機ＣＨ切替手段により子機ＣＨ記憶手段を変更し無線通信手段の周波数を変更することにより子機が受ける電波などの干渉を低減することが可能となる。
【００１４】
また、親機受信解析手段、子機受信解析手段により一定期間に予め設定された回数のそれぞれ子機ＩＤ記憶手段、親機ＩＤ記憶手段に登録されていないＩＤ以外の電文などを受信した場合に親機ＣＨ切替手段、子機ＣＨ切替手段を動作させるよう構成したものである。
【００１５】
そして、親機、子機は一定期間の干渉の確認により周波数を変更するため、頻繁に周波数を変更することによる電源の消費が増加することを防止することが可能となる。
【００１６】
また、親機ＣＨ切替手段、子機ＣＨ切替手段がそれぞれ親機無線通信手段、子機無線通信手段で切替可能な周波数の切替をランダムに行うように構成したものである。
【００１７】
そして、無線システムが２つ以上存在した場合に、両方のシステムの周波数が同じ値で切替られ、常に干渉状態になることを防止することが可能となる。
【００１８】
また、親機ＣＨ切替手段、子機ＣＨ切替手段がそれぞれ親機無線通信手段、子機無線通信手段で切替可能な周波数を切替を行った場合は以後の切替を行わないようにするそれぞれ親機受信解析手段、子機受信解析手段を有するものである。
【００１９】
そして、親機、子機は周波数の切替が永遠に行われることにならなくすることができ、電源消費を抑制することが可能となる。
【００２０】
また、親機ＣＨ切替手段、子機ＣＨ切替手段はそれぞれ親機無線通信手段、子機無線通信手段で切替可能な周波数の切替を予め指定した周波数で行うように構成するようにしたものである。
【００２１】
そして、親機、子機は周波数の切替が永遠に行われることにならなくすることができ、電源消費を抑制することが可能となる。
【００２２】
さらにまた、親機ＣＨ切替手段、子機ＣＨ切替手段により無線周波数を変更した場合、その旨を通信インフラを介して通報するように構成したものである。
【００２３】
そして、親機は無線チャンネルの変更をセンターなどに通報するため、センターは無線システムが使用しているチャンネルを把握できるためシステムの管理を綿密に行うことが可能となる。
【００２４】
【実施例】
以下、本発明の実施例について図面を用いて説明する。
【００２５】
（実施例１）
図１は本発明の実施例１の無線データ収集システムを示すブロック図である。
【００２６】
図１において、１は親機であり少なくとも２つ以上の無線周波数で送信または受信を行う親機無線通信手段２と、親機無線通信手段２が送信時にデータに付加するＩＤを記憶する親機ＩＤ記憶手段３と、親機無線通信手段２の送信周波数を記憶する親機ＣＨ記憶手段４と、親機１が通信を行う１台以上の子機のＩＤを記憶する子機ＩＤ記憶手段５と、親機ＩＤ記憶手段３、親機ＣＨ記憶手段４と子機ＩＤ記憶手段５に内容を登録する親機登録手段６と、親機無線通信手段２からの受信データに子機ＩＤ記憶手段５に登録されているＩＤがあるかどうかを判別する子機ＩＤ判別手段７と、子機ＩＤ判別手段７からの情報を解析する親機受信解析手段９と、親機受信解析手段９からの指示により無線通信手段２の周波数を変更する親機ＣＨ切替手段４と、親機無線通信手段２にデータ送信の処理を行う親機送信制御手段１０と、電話回線や無線回線などの通信インフラ１２とのデータ通信を行う上流側データ通信インターフェース手段１１を備えている。
【００２７】
一方、２１は子機であり、少なくとも２つ以上の無線周波数で送信または受信を行う子機無線通信手段２２と、子機無線通信手段２２が送信時にデータに付加するＩＤを記憶する子機ＩＤ記憶手段２３と、子機無線通信手段２２の送信周波数を記憶する子機ＣＨ記憶手段２４と、子機２１が通信を行う親機のＩＤを記憶する親機ＩＤ記憶手段２５と、子機ＩＤ記憶手段２３、子機ＣＨ記憶手段２４と親機ＩＤ記憶手段２５に内容を登録する子機登録手段２６と、子機無線通信手段２２からの受信データに親機ＩＤ記憶手段２５に登録されているＩＤがあるかどうかを判別する親機ＩＤ判別手段２７と、無線通信手段２２にデータ送信の処理を行う子機送信制御手段２６と、メータなどの端末機器３２とのデータ通信を行う端末データ通信インターフェース手段３１を備えている。
【００２８】
また、上記親機受信解析手段９は正常に受信できた電文から子機ＩＤ判別手段７によりサポートしている子機かどうかを判定すると共に、正常受信されなかったためにＩＤが解析できない場合には、サポートしている子機以外からの電波干渉があったと判定するように構成されている。
【００２９】
また、図示はしないが親機１、子機２１は電池電源で構成され設置工事が簡単になるように構成されている。
【００３０】
更に、親機ＩＤ記憶手段３、親機ＣＨ記憶手段４、子機ＩＤ記憶手段５、子機ＩＤ判別手段７、親機ＣＨ切替手段８、親機受信解析手段９等はマイクロコンピュータで構成されている。
【００３１】
図２は本発明の実施例１の無線データ収集システムの設置例を示す図である。
【００３２】
図２において、４１は道路でありその周辺に親機１ａを設置した住宅４０ａと、親機１ａがサポートする子機２１ａ、２１ｂ、２１ｃ、２１ｄがそれぞれ住宅４０ｂ、４０ｃ、４０ｄ、４０ｅに設置されている。
【００３３】
また、親機１ｂは住宅４０ｉに設置され、親機１ｂがサポートする子機２１ｅ、２１ｆ、２１ｇ、２１ｈがそれぞれ住宅４０ｆ、４０ｇ、４０ｈ、４０ｊに設置されている。
【００３４】
この中で破線で示す円は親機が送信する電波の到達する範囲を示している。この２つのシステムで使用している周波数が同じ場合、子機２０ｄは親機１ａ、１ｂからの電波を受けるが、子機も親機と同等の出力であるため親機１ｂは他システムの子機２０ｄにより干渉を受け、親機１ａのシステム動作中に親機１ｂが動作を行うことになってしまう。また、近傍にノイズ発生源４１がある場合も同様である。
【００３５】
図３は本発明の実施例１の無線データ収集システムを構成する親機受信解析手段９の要部動作を示すフローチャート図である。
【００３６】
図３において、親機受信解析手段９はステップ５２で電文受信処理を行い、ステップ５３で受信受信なしと判断した場合はステップ５８で動作に必要なその他の処理を行う、一方ステップ５３で受信あり、ステップ５４で子機ＩＤを確認し親機１がサポートしているＩＤであればステップ５８に進む。
【００３７】
一方、ステップ５４で子機ＩＤが親機１のサポートするＩＤ以外、すなわち親機１がサポートしている子機以外からの受信、又は解析できない電文やノイズなどを受信したと判断した場合は、ステップ５５に進み、このような受信が所定回数ｎ回に達したかどうかを判定する。ｎ回に達した場合にはステップ５６で親機ＣＨ記憶手段３の内容を変えると共に、ステップ５７で子機２１に対してチャンネルを変更する処理を通信で行うよう動作する。
【００３８】
また、所定回数ｎ回の判定はサポートしているＩＤを正常に受信した場合と、正常に受信できなかった場合の比率で判定しても良い。
【００３９】
以上のように、親機受信解析手段９により周波数を変更する必要が発生した場合に、親機ＣＨ切替手段８により親機ＣＨ記憶手段９を変更し親機無線通信手段２の周波数を変更することにより親機が受ける電波などの干渉を低減することが可能となる。
【００４０】
（実施例２）
図４は本発明の実施例２の無線データ収集システムを構成する親機受信解析手段９の要部動作を示すフローチャート図である。
【００４１】
図４において、ステップ６２で親機１から子機２１へ発呼要求を検出した場合、ステップ５２で受信処理を行い、ステップ５３で受信が検出されなければ、電波の干渉が無いと判断しステップ６３で発呼処理を行う。
【００４２】
一方、ステップ５３で受信を検出した場合には、実施例１と同様にステップ５４、ステップ５５を経て親機１のチャンネルを変更する必要があると判断した場合には、ステップ５６，ステップ５７でその処理を行うように動作する。
【００４３】
以上のように、親機受信解析手段９により親機が無線発呼するときの干渉から周波数を変更する必要が発生した場合に、親機ＣＨ切替手段８により親機ＣＨ記憶手段４を変更し親機無線通信手段２の周波数を変更することにより親機が受ける電波などの干渉を低減することが可能となる他、親機１を頻繁に受信状態にする必要がないため電源の消費を低減することが可能となる。
【００４４】
（実施例３）
図５は本発明の実施例３の無線データ収集システムのブロック図である。
【００４５】
図５において、子機２１には子機無線通信手段２２からの受信データに親機ＩＤ記憶手段２５に登録されているＩＤがあるかどうかを判別する親機ＩＤ判別手段２７と、親機ＩＤ判別手段２７からの情報を解析する子機受信解析手段２９と、子機受信解析手段２９からの指示により子機無線通信手段２２の周波数を変更する子機ＣＨ切替手段２８を備えている。
【００４６】
図６は本発明の実施例４の無線データ収集システムを構成する親機受信解析手段９の要部動作を示すフローチャート図である。
【００４７】
図６において、子機２１がステップ７２で親機１に対して端末発呼要求があると判定した場合に、ステップ７３で受信処理を行い、ステップ７４で受信無しと判定した場合にはステップ７５で端末発呼処理を実行する。一方ステップ７４で受信ありと判定した場合にはステップ７６で受信したデータのＩＤが親機ＩＤ記憶手段２５の内容であればステップ８０の処理に進むが、それ以外のＩＤを受信した場合にはステップ７７で所定回数ｎ回受信したかどうかを判定し、ｎ回が判定されるとステップ７８で子機２１のチャンネルの切替とステップ７９で親機１のチャンネル切替を実行するように構成されている。
【００４８】
以上のように、子機受信解析手段２９により子機２１が無線発呼するときの干渉から周波数を変更する必要が発生した場合に、子機ＣＨ切替手段２８により子機ＣＨ記憶手段２４を変更し無線通信手段２２の周波数を変更することにより子機が受ける電波などの干渉を低減することが可能となる。
【００４９】
（実施例４）
図７は本発明の実施例４の無線データ収集システムを構成する親機受信解析手段９の要部動作を示すフローチャート図である。
【００５０】
図７において、親機受信解析手段９は実施例１と同様の動作をするも、ステップ９０で対象外のＩＤのｎ回検出が予め設定された一定時間内で発生したかどうかを判定し、条件を満足した場合にステップ５６で親機ＣＨ記憶手段４の内容を変更すると共に、ステップ５７で子機２１のチャンネルを親機１と合わせるよう動作する。
【００５１】
以上のように、親機、子機は一定期間の干渉の確認により周波数を変更するため、頻繁に周波数を変更することによる電源の消費が増加することを防止することが可能となる。
【００５２】
（実施例５）
図８は本発明の実施例５の無線データ収集システムを構成する親機受信解析手段９の要部動作を示すフローチャート図である。
【００５３】
図８において、親機受信解析手段９は実施例１と同様の動作をするも、ステップ５５で対象外のＩＤのｎ回検出がされたかどうかを判定し、条件を満足した場合にステップ１００で親機ＣＨ記憶手段４の内容をランダムに変更すると共に、ステップ５７で子機２１のチャンネルを親機１と合わせるよう動作する。以上のように、無線システムが２つ以上存在した場合に、両方のシステムの周波数が同じ値で切替られ、常に干渉状態になることを防止することが可能となる。
【００５４】
（実施例６）
図９は本発明の実施例６の無線データ収集システムを構成する親機受信解析手段９の要部動作を示すフローチャートである。
【００５５】
図９において、親機受信解析手段９は実施例１と同様の動作をするも、ステップ５５で対象外のＩＤのｎ回検出がされたかどうかを判定し、ステップ１１０で既に無線通信手段２が変更可能なチャンネルを全て切り替えたかどうかを判定し、切り替えていなければステップ５６で親機ＣＨ記憶手段４の内容を変更すると共に、ステップ５７で子機２１のチャンネルを親機１と合わせるよう動作する。以上のように、親機、子機は周波数の切替が永遠に行われることにならなくすることができ、電源消費を抑制することが可能となる。
【００５６】
（実施例７）
図１０は本発明の実施例６の無線データ収集システムを構成する親機受信解析手段９の要部動作を示すフローチャートである。
【００５７】
図１０において、親機受信解析手段９は実施例１と同様の動作をするも、ステップ５５で対象外のＩＤのｎ回検出がされたかどうかを判定し、ステップ１２０で既に無線通信手段２が予め設定されていた変更可能なチャンネルを全て切り替えたかどうかを判定し、切り替えていなければステップ５６で親機ＣＨ記憶手段４の内容を変更すると共に、ステップ５７で子機２１のチャンネルを親機１と合わせるよう動作する。以上のように、親機、子機は周波数の切替が永遠に行われることにならなくすることができ、電源消費を抑制することが可能となる。
【００５８】
（実施例８）
図１１は本発明の実施例６の無線データ収集システムを構成する親機受信解析手段９の要部動作を示すフローチャートである。
【００５９】
図１１において、親機受信解析手段９は実施例１と同様の動作をするも、ステップ５５で対象外のＩＤのｎ回検出がされた場合、ステップ５６で親機ＣＨ記憶手段４の内容を変更し、ステップ５７で子機２１のチャンネルを親機１と合わせると共に、ステップ１３０で通信インフラ１１にチャンネルを変更した旨を送信するよう動作する。以上のように、親機は無線チャンネルの変更をセンターなどに通報するため、センターは無線システムが使用しているチャンネルを把握できるためシステムの管理を綿密に行うことが可能となる。
【００６０】
【発明の効果】
以上説明したように本発明によれば、自システムの近傍に通信ができない他システムや、ノイズを発生するノイズ源がある場合に、その電波干渉の影響を低減するように動作するため、他システムにより起動させられ電源消費の増加や、通信トラフィックを低減することが可能となる。
【図面の簡単な説明】
【図１】本発明の実施例１における無線データ収集システムのブロック図
【図２】同システムの設置例を示す概念図
【図３】同システムの動作を示すフローチャート
【図４】本発明の実施例２における無線データ収集システムの動作を示すフローチャート
【図５】本発明の実施例３における無線データ収集システムのブロック図
【図６】同システムの動作を示すフローチャート
【図７】本発明の実施例４における無線データ収集システムの動作を示すフローチャート
【図８】本発明の実施例５における無線データ収集システムの動作を示すフローチャート
【図９】本発明の実施例６における無線データ収集システムの動作を示すフローチャート
【図１０】本発明の実施例７における無線データ収集システムの動作を示すフローチャート
【図１１】本発明の実施例８における無線データ収集システムの動作を示すフローチャート
【図１２】従来の無線データ収集装置のブロック図
【符号の説明】
１  親機
２  親機無線通信手段
３  親機ＩＤ記憶手段
４  親機ＣＨ記憶手段
５  子機ＩＤ記憶手段
７  子機ＩＤ判別手段
８  親機ＣＨ切替手段
９  親機受信解析手段
１０  親機送信手段
１１  上流側データ通信インタフェース手段
２１  子機
２２  子機無線通信手段
２３  子機ＩＤ記憶手段
２４  子機ＣＨ記憶手段
２５  親機ＩＤ記憶手段
２７  親機ＩＤ判別手段
２８  子機ＣＨ切替手段
２９  子機受信解析手段
３０  子機送信制御手段
３１  端末データ通信インタフェース手段
【図１】
2004180106.tif 000003
【図２】
2004180106.tif 000004
【図３】
2004180106.tif 000005
【図４】
2004180106.tif 000006
【図５】
2004180106.tif 000007
【図６】
2004180106.tif 000008
【図７】
2004180106.tif 000009
【図８】
2004180106.tif 000010
【図９】
2004180106.tif 000011
【図１０】
2004180106.tif 000012
【図１１】
2004180106.tif 000013
【図１２】
2004180106.tif 000014